(57)【要約】      （修正有）【課題】巻尺テープが捩じれた状態でケース内に巻き込まれることを抑制できる巻尺を提供する。【解決手段】巻尺１０は、ケースと、巻取胴２と、巻尺テープ３とを備えている。ケースは、ケースの出入口１ｃを規定し、互いの間に巻尺テープ３を挿通可能な第１および第２の支持部材１１，１２と、第１および第２の支持部材１１，１２よりも上流側に配置され、互いの間に巻尺テープ３を挿通可能な第１および第２の規制部材１３，１４とを含んでいる。第１の支持部材１１および第１の規制部材１３の各々は一方表面３ａに当接可能に配置されている。第２の支持部材１２および第２の規制部材１４の各々は他方表面３ｂに当接可能に配置されている。【選択図】図６
2014119420.tif 000002
【特許請求の範囲】
【請求項１】
内部空間を有するケースと、
前記ケースに対して相対的に回転可能に前記ケースに取り付けられた巻取胴と、
互いに対向する一方表面および他方表面を有し、上流側の一方端が前記内部空間内において前記巻取胴に固定され、下流側の他方端が前記内部空間外に配置され、かつ前記巻取胴が回転することによって前記下流側から前記上流側に、前記巻取胴に巻取可能な巻尺テープとを備え、
前記ケースは、
前記ケースの出入口を規定し、互いの間に前記巻尺テープを挿通可能な第１および第２の支持部材と、
前記第１および第２の支持部材よりも前記上流側に配置され、互いの間に前記巻尺テープを挿通可能な第１および第２の規制部材とを含み、
前記第１の支持部材および第１の規制部材の各々は前記一方表面に当接可能に配置されており、
前記第２の支持部材および第２の規制部材の各々は前記他方表面に当接可能に配置されている、巻尺。
【請求項２】
前記第１の支持部材は、第１のボス部と、前記第１のボス部に外挿され、前記第１のボス部に対して相対的に回転可能な第１のローラ部とを含み、
前記第２の支持部材は、第２のボス部と、前記第２のボス部に外挿され、前記第２のボス部に対して相対的に回転可能な第２のローラ部とを含み、
前記第１の規制部材は、第３のボス部と、前記第３のボス部に外挿され、前記第３のボス部に対して相対的に回転可能な第３のローラ部とを含み、
前記第２の規制部材は、第４のボス部と、前記第４のボス部に外挿され、前記第４のボス部に対して相対的に回転可能な第４のローラ部とを含み、
前記第１および第３のローラ部は、前記一方表面に当接することで回転可能に構成されており、
前記第２および第４のローラ部は、前記他方表面に当接することで回転可能に構成されている、請求項１に記載の巻尺。
【請求項３】
前記出入口から斜め下方に前記巻尺テープが出入するように、前記ケースの側壁面に対して交差する方向に前記第１および第２の支持部材が配置されており、
前記第１および第２の支持部材が配置された方向に沿って、前記第１および第２の規制部材が配置されている、請求項１または２に記載の巻尺。
【発明の詳細な説明】
【技術分野】
【０００１】
本発明は、巻尺に関し、特に、ケースに取り付けられた巻取胴に巻取可能な巻尺テープを備えた巻尺に関するものである。
【背景技術】
【０００２】
従来、巻尺テープをケースに取り付けられた巻取胴に巻取り、使用時に巻尺テープをケースの出入口から繰り出す巻尺が用いられている。このような巻尺は、たとえば特開平５−２１５５０１号公報（特許文献１）に開示されている。
【先行技術文献】
【特許文献】
【０００３】
【特許文献１】特開平５−２１５５０１号公報
【発明の概要】
【発明が解決しようとする課題】
【０００４】
上記公報に記載された巻尺は、当接部を巻尺テープの幅より狭くし、当接部の両端面を円錐状の傾斜面とすることで、巻尺テープを巻取る際に巻尺テープの捩じれを防止しようとしている。しかしながら、巻尺テープの後端は、巻取胴に設けられたボスに外挿するために折り返されて溶着されている。したがって、ケースの出入口は、折り返された巻尺テープの後端を挿通可能なように巻尺テープを折り返した厚み以上の隙間を有している。そのため、巻尺テープが巻き取られる際、巻尺テープが捩じれた状態でケース内に巻き込まれるという問題がある。
【０００５】
本発明は、上記課題を鑑みてなされたものであり、その目的は、巻尺テープが捩じれた状態でケース内に巻き込まれることを抑制できる巻尺を提供することである。
【課題を解決するための手段】
【０００６】
本発明の巻尺は、内部空間を有するケースと、ケースに対して相対的に回転可能にケースに取り付けられた巻取胴と、互いに対向する一方表面および他方表面を有し、上流側の一方端が内部空間内において巻取胴に固定され、下流側の他方端が内部空間外に配置され、かつ巻取胴が回転することによって下流側から上流側に、巻取胴に巻取可能な巻尺テープとを備えている。ケースは、ケースの出入口を規定し、互いの間に巻尺テープを挿通可能な第１および第２の支持部材と、第１および第２の支持部材よりも上流側に配置され、互いの間に巻尺テープを挿通可能な第１および第２の規制部材とを含んでいる。第１の支持部材および第１の規制部材の各々は一方表面に当接可能に配置されている。第２の支持部材および第２の規制部材の各々は他方表面に当接可能に配置されている。
【０００７】
本発明の巻尺によれば、ケースの出入口を規定する第１および第２の支持部材の間に挿通された巻尺テープが第１および第２の支持部材よりも上流側に配置された第１および第２の規制部材の間に挿通される。そして、第１の支持部材および第１の規制部材の各々が一方表面に当接可能に配置され、第２の支持部材および第２の規制部材の各々が他方表面に当接可能に配置されている。このため、出入口からケース内に巻き込まれた巻尺テープが第１および第２の規制部材に当接することで巻尺テープの捩じれを補正できる。これにより、出入口から巻尺テープが捩じれた状態でケース内に巻き込まれることを抑制できる。
【０００８】
本発明の巻尺では、好ましくは、第１の支持部材は、第１のボス部と、第１のボス部に外挿され、第１のボス部に対して相対的に回転可能な第１のローラ部とを含んでいる。第２の支持部材は、第２のボス部と、第２のボス部に外挿され、第２のボス部に対して相対的に回転可能な第２のローラ部とを含んでいる。第１の規制部材は、第３のボス部と、第３のボス部に外挿され、第３のボス部に対して相対的に回転可能な第３のローラ部とを含んでいる。第２の規制部材は、第４のボス部と、第４のボス部に外挿され、第４のボス部に対して相対的に回転可能な第４のローラ部とを含んでいる。第１および第３のローラ部は、一方表面に当接することで回転可能に構成されている。第２および第４のローラ部は、他方表面に当接することで回転可能に構成されている。
【０００９】
このため、第１および第３のローラ部が一方表面に当接して回転することで第１および第３のローラ部と一方表面との摩擦抵抗を低減することができ、第２および第４のローラ部が他方表面に当接して回転することで第２および第４のローラ部と他方表面との摩擦抵抗を低減することができる。これにより、第１の支持部材および第１の規制部材が巻尺テープの一方表面に当接し、第２の支持部材および第２の規制部材が巻尺テープの他方表面に当接することで、巻尺テープの一方表面および他方表面が削られることを抑制できる。
【００１０】
本発明の巻尺では、好ましくは、出入口から斜め下方に巻尺テープが出入するように、ケースの側壁面に対して交差する方向に第１および第２の支持部材が配置されている。第１および第２の支持部材が配置された方向に沿って、第１および第２の規制部材が配置されている。このため、巻尺テープを出入口から斜め下方に出入させることができ、かつ出入口から巻尺テープが捩じれた状態でケース内に巻き込まれることを抑制できる。
【発明の効果】
【００１１】
以上説明したように、本発明の巻尺によれば、出入口から巻尺テープが捩じれた状態でケース内に巻き込まれることを抑制できる。
【図面の簡単な説明】
【００１２】
【図１】本発明の一実施の形態における巻尺の概略斜視図である。
【図２】本発明の一実施の形態における巻尺の概略分解斜視図である。
【図３】本発明の一実施の形態における巻尺の概略正面図である。
【図４】本発明の一実施の形態における巻尺の概略側面図である。
【図５】本発明の一実施の形態における巻尺テープの後端の概略斜視図である。
【図６】図４のＶＩ−ＶＩ線に沿う概略断面図である。
【図７】図６のＰ部の拡大図である。
【図８】本発明の一実施の形態における巻尺の巻尺テープが引き出された状態を示す概略斜視図である。
【図９】本発明の一実地の形態における巻尺の巻尺テープが引き出された状態を示す概略背面図である。
【図１０】本発明の一実施の形態の変形例における巻尺の出入口周辺を概略的に示す部分分解斜視図である。
【発明を実施するための形態】
【００１３】
以下、本発明の一実施の形態について図に基づいて説明する。なお、同一の機能を果たす要素には同一の参照符号を付し、その説明は、特に必要がなければ繰り返さない。
【００１４】
主に図１および図２を参照して、本発明の一実施の形態の巻尺１０は、ケース１と、巻取胴２と、巻尺テープ３と、ハンドル４と、回転機構部５とを主に有している。巻尺１０は、ケース１内の巻取胴２に巻尺テープ３をハンドル４の回転操作によって巻取り収納し、使用時にはケース１から所望長さに巻尺テープ３を繰出せるように構成されている。
【００１５】
ケース１は、表ケース１ａと裏ケース１ｂとを有している。ケース１は、表ケース１ａと裏ケース１ｂとの間に内部空間ＩＳを有している。内部空間ＩＳに巻尺テープ３が巻取り収納される。表ケース１ａと裏ケース１ｂとは図示しないビス等により固定されている。
【００１６】
図３および図４を参照して、ケース１の下部には出入口１ｃが形成されている。出入口１ｃを挟むように側壁面１ｄが形成されている。ケース１の上部には把持部１ｅが形成されている。
【００１７】
図２を参照して、巻取胴２はケース１に対して相対的に回転可能にケース１に取り付けられている。具体的には、ケース１の中央部には表ケース１ａに設けられた開口部１ｆが形成されている。巻取胴２は、表ケース１ａの開口部１ｆから内部空間ＩＳに挿入されており、裏ケース１ｂに回転可能に保持されている。巻取胴２は表ケース１ａと裏ケース１ｂに挟まれるように配置されている。巻取胴２はケース１の中央部に配置されている。巻取胴２は出入口１ｃよりも上方に配置されている。
【００１８】
図２および図３を参照して、巻取胴２には巻尺テープ３が巻きまわされている。巻尺テープ３は、互いに対向する一方表面３ａおよび他方表面３ｂを有している。巻尺テープ３が巻取胴２に取り付けられた状態で、巻尺テープ３の上流側は巻取胴２側に位置し、下流側は出入口１ｃ側に位置している。巻尺テープ３の上流側の一方端３１が内部空間ＩＳ内において巻取胴２に固定されている。巻尺テープ３の一方端３１は環状に形成されており、巻取胴２の取付部２ａに外挿されている。巻尺テープ３の下流側の他方端３２が内部空間ＩＳ外に配置されている。巻尺テープ３は、巻取胴２が回転することによって下流側から上流側に、巻取胴２に巻取可能に構成されている。
【００１９】
巻尺テープ３の一方表面３ａには図示しない目盛が設けられている。なお、巻尺テープ３の他方表面３ｂにも目盛が設けられていてもよい。巻尺テープ３は、鋼板、織布、グラスファイバー、プラスチック材等で形成可能であり、たとえば繊維で形成された芯材を塩化ビニルまたはウレタンで覆うように形成されていてもよい。
【００２０】
巻尺テープ３の先端には、環部材３ｃが取り付けられている。具体的には、巻尺テープ３の他方端３２は環部材３ｃの一部を挟んで折り返された状態で溶着されている。この環部材３ｃを使用者が持って巻尺テープ３を引き出すことにより、巻尺テープ３の引き出し作業を容易にすることができる。
【００２１】
図５参照して、巻尺テープ３の一方端３１は折り返された状態で溶着されている。これにより、巻尺テープ３の後端は、環状に形成されており、巻尺テープ３の厚みの２倍の厚みを有している。
【００２２】
図２および図３を参照して、巻取胴２にはハンドル４が回転機構部５を介して接続されている。図４を参照して、ハンドル４および回転機構部５のそれぞれの一部は表ケース１ａから露出している。図３および図４を参照して、ハンドル４は、操作部４ａと、取付基部４ｂとを有している。操作部４ａは取付基部４ｂに１８０°反対側に折曲可能に構成されている。これにより、収納保管性を高めることができる。なお、図３等では操作部４ａは収納された状態で示されており、操作部４ａは使用時には取付基部４ｂに対して１８０°反対側に折曲げた状態で回転することができる。
【００２３】
図２および図３を参照して、取付基部４ｂは回転機構部５の内周部に挿入されている。回転機構部５は巻取胴２に接続されている。回転機構部５は、ハンドル４の回転を巻取胴２に伝達するように構成されている。回転機構部５は、複数の歯車を介して巻取胴２に接続することでハンドル４の回転を巻取胴２に伝達するように構成されていてもよい。これにより、ハンドル４の回転数に対して巻取胴２の回転数を増やすことで巻尺テープ３を巻取る速度を上げることができる。
【００２４】
図６および図７を参照して、ケース１の構成についてさらに詳しく説明する。
ケース１は、第１の支持部材１１と、第２の支持部材１２と、第１の規制部材１３と、第２の規制部材１４とを有している。第１の支持部材１１と第２の支持部材１２とはケース１の出入口１ｃを規定している。第１の支持部材１１と第２の支持部材１２とは互いの間に巻尺テープ３を挿通可能に構成されている。第１の支持部材１１と第２の支持部材１２とは、巻尺テープ３が折り返された一方端３１が互いの間を挿通できるように巻尺テープ３の厚みの２倍以上の間隔をあけて配置されている。
【００２５】
第１の支持部材１１および第２の支持部材１２は、表ケース１ａと裏ケース１ｂ（図４参照）との間に連続的に形成されている。第１の支持部材１１は、第１のボス部１１ａと、第１のローラ部１１ｂとを有している。第１のボス部１１ａは円筒形状を有している。第１のローラ部１１ｂは、第１のボス部１１ａに外挿され、第１のボス部１１ａに対して相対的に回転可能に構成されている。第１のローラ部１１ｂは第１のボス部１１ａの外径よりも大きな内径の円筒形状を有している。
【００２６】
第２の支持部材１２は、第２のボス部１２ａと、第２のローラ部１２ｂとを有している。第２のボス部１２ａは円筒形状を有している。第２のローラ部１２ｂは、第２のボス部１２ａに外挿され、第２のボス部１２ａに対して相対的に回転可能に構成されている。第２のローラ部１２ｂは第２のボス部１２ａの外径よりも大きな内径の円筒形状を有している。
【００２７】
第１の規制部材１３および第２の規制部材１４は、第１の支持部材１１および第２の支持部材よりも上流側に配置されている。具体的には、第１の規制部材１３および第２の規制部材１４は、第１の支持部材１１および第２の支持部材の斜め上方に配置されている。第１の規制部材１３および第２の規制部材１４は、互いの間に巻尺テープ３を挿通可能に構成されている。第１の規制部材１３と第２の規制部材１４とは、巻尺テープ３が折り返された一方端３１が互いの間を挿通できるように巻尺テープ３の厚みの２倍以上の間隔をあけて配置されている。
【００２８】
また、第１の規制部材１３は、第１の支持部材１１と間隔をあけて上流側に配置されており、第２の規制部材１４は、第２の支持部材１２と間隔をあけて上流側に配置されている。第１の規制部材１３と第１の支持部材１１との間隔と、第２の規制部材１４と第２の支持部材１２との間隔とは、巻尺テープ３が捩じれる最低長さ以下の寸法に配置されている。第１の規制部材１３と第１の支持部材１１との間隔と、第２の規制部材１４と第２の支持部材１２との間隔とは同じ寸法を有していてもよい。
【００２９】
第１の規制部材１３および第２の規制部材１４は表ケース１ａと裏ケース１ｂ（図４参照）との間に連続的に形成されている。第１の規制部材１３は、第３のボス部１３ａと、第３のローラ部１３ｂとを有している。第３のボス部１３ａは円筒形状を有している。第３のローラ部１３ｂは、第３のボス部１３ａに外挿され、第３のボス部１３ａに対して相対的に回転可能に構成されている。第３のローラ部１３ｂは第３のボス部１３ａの外径よりも大きな内径の円筒形状を有している。
【００３０】
第２の規制部材１４は、第４のボス部１４ａと、第４のローラ部１４ｂとを有している。第４のボス部１４ａは円筒形状を有している。第４のローラ部１４ｂは、第４のボス部１４ａに外挿され、第４のボス部１４ａに対して相対的に回転可能に構成されている。第４のローラ部１４ｂは第４のボス部１４ａの外径よりも大きな内径の円筒形状を有している。
【００３１】
第１〜第４のボス部１１ａ〜１４ａは、たとえばＡＢＳ樹脂で形成されており、第１〜第４のローラ部１１ｂ〜１４ｂは鉄で形成されていてもよい。第１〜第４のローラ部１１ｂ〜１４ｂを鉄で形成することで、第１〜第４のローラ部１１ｂ〜１４ｂが巻尺テープ３に当接した際の摩擦抵抗を低減することができる。
【００３２】
第１の支持部材１１および第１の規制部材１３の各々は巻尺テープ３の一方表面３ａに当接可能に配置されており、第２の支持部材１２および第２の規制部材１４の各々は巻尺テープ３の他方表面３ｂに当接可能に配置されている。このため、巻尺テープ３の一方表面３ａは第１の支持部材１１と第１の規制部材１３とによって支持される。これにより、巻尺テープ３の一方表面３ａは捩じれないように面で保持される。また巻尺テープ３の他方表面３ｂは第２の支持部材１２と第２の規制部材１４とによって支持される。これにより、巻尺テープ３の他方表面３ｂも捩じれないように面で保持される。そのため、巻尺テープ３の捩じれを補正することができる。
【００３３】
第１のローラ部１１ｂおよび第３のローラ部１３ｂは、巻尺テープ３の一方表面３ａに当接することで回転可能に構成されており、第２のローラ部１２ｂおよび第４のローラ部１４ｂは、巻尺テープ３の他方表面３ｂに当接することで回転可能に構成されている。このため、巻尺テープ３の出入にあわせて、第１のローラ部１１ｂおよび第３のローラ部１３ｂは巻尺テープ３の一方表面３ａに当接して回転し、第２のローラ部１２ｂおよび第４のローラ部１４ｂは巻尺テープ３の他方表面３ｂに当接して回転する。
【００３４】
また、第１の支持部材１１および第２の支持部材１２は、出入口１ｃから斜め下方に巻尺テープ３が出入するように、ケース１の側壁面１ｄに対して交差する方向に配置されている。使用者が巻尺１０を使用する際には、使用者が上方の把持部１ｅを持った状態で下方の出入口１ｃから斜め下方に巻尺テープ３を出入するように第１の支持部材１１および第２の支持部材１２は配置されている。第１の規制部材１３および第２の規制部材１４は、第１の支持部材１１および第２の支持部材１２が配置された方向に沿って配置されている。つまり、第１の規制部材１３および第２の規制部材１４もケース１の側壁面１ｄに対して交差する方向に配置されている。
【００３５】
なお、上記ではケース１は、巻尺テープ３の束の一部がケース１から露出するに形成されているが、これに限定されない。上記のケース１では、巻尺テープ３の束の一部がケース１から露出することによって巻尺テープ３の状態を視認できる。
【００３６】
次に、本発明の一実施の形態の巻尺１０の動作について説明する。
図１および図２を参照して、巻尺テープ３の巻取り時には、巻尺テープ３は、環状の一方端３１が巻取胴２に形成された取付部２ａに外挿されることで巻取胴２に取り付けられた状態で、使用者がハンドル４を回転させることによって巻取胴２に巻き取られる。なお、巻尺テープ３の巻取り時には、巻尺テープ３は、第１の規制部材１３および第２の規制部材１４のうち巻取胴２側（上方）に位置する第１の規制部材１３に主に当接する。
【００３７】
図８および図９を参照して、巻尺テープ３の繰り出し時には、使用者がケース１の把持部１ｅを把持した状態で、巻尺テープ３の先端に取り付けられた環部材３ｃを斜め下方に引き出すことで、巻尺テープ３がケース１から引き出される。つまり、巻尺１０の使用時には、ケース１の把持部１ｅが上方に位置し、出入口１ｃが下方に位置した状態で、巻尺テープ３が斜め下方に引き出される。この際、巻取胴２およびハンドル４は巻取り時とは反対方向に回転する。そして、最終的には、巻取胴２の取付部２ａまでの巻尺テープ３のケース１内での長さが最低となる位置に取付部２ａが配置される。また、この位置で窓部１ｇから使用者は取付部２ａに巻尺テープ３の一方端３１を取り付けることができる。
【００３８】
次に、図１０を参照して、本発明の一実施の形態の変形例について説明する。この変形例では、第１の支持部材１１および第２の支持部材１２ならびに第１の規制部材１３および第２の規制部材１４の構成が上記の本発明の一実施の形態における構成とは異なっている。なお、上記の本発明の一実施の形態における構成と同一の機能を果たす要素には同一の参照符号を付し、その説明は、特に必要がなければ繰り返さない。
【００３９】
第１の支持部材１１は、第１のローラ部１１ｂと、第１の受け部１１ｃとを有している。第１の受け部１１ｃは円形の凹部を有している。第１のローラ部１１ｂは、第１の受け部１１ｃに内挿され、第１の受け部１１ｃに対して回転可能に構成されている。第１のローラ部１１ｂは第１の受け部１１ｃの内径よりも小さな外径の円筒形状を有している。
【００４０】
また、第２の支持部材１２は、第２のローラ部１２ｂと、第２の受け部１２ｃとを有している。第２の受け部１２ｃは円形の凹部を有している。第２のローラ部１２ｂは、第２の受け部１２ｃに内挿され、第２の受け部１２ｃに対して回転可能に構成されている。第２のローラ部１２ｂは第２の受け部１２ｃの内径よりも小さな外径の円筒形状を有している。
【００４１】
第１の規制部材１３は、第３のローラ部１３ｂと、第３の受け部１３ｃとを有している。第３の受け部１３ｃは円形の凹部を有している。第３のローラ部１３ｂは、第３の受け部１３ｃに内挿され、第３の受け部１３ｃに対して回転可能に構成されている。第３のローラ部１３ｂは第３の受け部１３ｃの内径よりも小さな外径の円筒形状を有している。
【００４２】
また、第４の支持部材１４は、第４のローラ部１４ｂと、第４の受け部１４ｃとを有している。第４の受け部１４ｃは円形の凹部を有している。第４のローラ部１４ｂは、第４の受け部１４ｃに内挿され、第４の受け部１４ｃに対して回転可能に構成されている。第４のローラ部１４ｂは第４の受け部１４ｃの内径よりも小さな外径の円筒形状を有している。
【００４３】
この変形例でも第１のローラ部１１ｂおよび第３のローラ部１３ｂは、巻尺テープ３の一方表面３ａ（図６参照）に当接することで回転可能に構成されており、第２のローラ部１２ｂおよび第４のローラ部１４ｂは、巻尺テープ３の他方表面３ｂ（図６参照）に当接することで回転可能に構成されている。このため、巻尺テープ３の出入にあわせて、第１のローラ部１１ｂおよび第３のローラ部１３ｂは巻尺テープ３の一方表面３ａに当接して回転し、第２のローラ部１２ｂおよび第４のローラ部１４ｂは巻尺テープ３の他方表面３ｂに当接して回転する。
【００４４】
次に、本発明の一実施の形態の作用効果について説明する。
図８を参照して、巻尺テープ３は、ケース１から繰り出された際に捩じれる。そして、出入口１ｃは巻尺テープ３の厚みよりも大きな隙間を有しているため、従来の巻尺１０では、巻尺テープ３が巻き取られる際、巻尺テープ３が捩じれた状態でケース１内に巻き込まれるおそれがある。
【００４５】
これに対して、本発明の一実施の形態の巻尺１０によれば、ケース１の出入口１ｃを規定する第１の支持部材１１および第２の支持部材１２の間に挿通された巻尺テープ３が第１の支持部材１１および第２の支持部材１２よりも上流側に配置された第１の規制部材１３および第２の規制部材１４の間に挿通される。そして、第１の支持部材１１および第１の規制部材１３の各々が一方表面３ａに当接可能に配置され、第２の支持部材１２および第２の規制部材１４の各々が他方表面３ｂに当接可能に配置されている。このため、出入口１ｃからケース１内に巻き込まれた巻尺テープ３が第１の規制部材１３および第２の規制部材１４に当接することで巻尺テープ３の捩じれを補正できる。これにより、出入口１ｃから巻尺テープ３が捩じれた状態でケース１内に巻き込まれることを抑制できる。
【００４６】
また、本発明の一実施の形態の巻尺１０によれば、第１のローラ部１１ｂおよび第３のローラ部１３ｂが一方表面３ａに当接して回転することで第１のローラ部１１ｂおよび第３のローラ部１３ｂと一方表面３ａとの摩擦抵抗を低減することができ、第２のローラ部１２ｂおよび第４のローラ部１４ｂが他方表面３ｂに当接して回転することで第２のローラ部１２ｂおよび第４のローラ部１４ｂと他方表面３ｂとの摩擦抵抗を低減することができる。これにより、第１の支持部材１１および第１の規制部材１３が巻尺テープ３の一方表面３ａに当接し、第２の支持部材１２および第２の規制部材１４が巻尺テープ３の他方表面３ｂに当接することで、巻尺テープ３の一方表面３ａおよび他方表面３ｂが削られることを抑制できる。
【００４７】
また、本発明の一実施の形態の巻尺１０によれば、巻尺テープ３を出入口１ｃから斜め下方に出入させることができる。巻尺テープ３は重力のため下方に引き出しやすい。したがって、巻尺テープ３が出入口１ｃから斜め下方に出入することで、巻尺テープ３の出入を容易にすることができる。そして、出入口１ｃから巻尺テープ３が捩じれた状態でケース１内に巻き込まれることを抑制できる。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００４９】
本発明は、ケースに取り付けられた巻取胴に巻取可能な巻尺テープを備えた巻尺に、特に有利に適用され得る。
【符号の説明】
【００５０】
１  ケース、１ａ  表ケース、１ｂ  裏ケース、１ｃ  出入口、１ｄ  側壁面、１ｅ  把持部、１ｆ  開口部、２  巻取胴、２ａ  取付部、３  巻尺テープ、３ａ  一方表面、３ｂ  他方表面、３ｃ  環部材、４  ハンドル、４ａ  操作部、４ｂ  取付基部、５  回転機構部、１０  巻尺、１１  第１の支持部材、１１ａ  第１のボス部、１１ｂ  第１のローラ部、１１ｃ  第１の受け部、１２  第２の支持部材、１２ａ  第２のボス部、１２ｂ  第２のローラ部、１２ｃ  第２の受け部、１３  第１の規制部材、１３ａ  第３のボス部、１３ｂ  第３のローラ部、１３ｃ  第３の受け部、１４  第２の規制部材、１４ａ  第４のボス部、１４ｂ  第４のローラ部、１４ｃ  第４の受け部、３１  一方端、３２  他方端、ＩＳ  内部空間。
【図１】
2014119420.tif 000003
【図２】
2014119420.tif 000004
【図３】
2014119420.tif 000005
【図４】
2014119420.tif 000006
【図５】
2014119420.tif 000007
【図６】
2014119420.tif 000008
【図７】
2014119420.tif 000009
【図８】
2014119420.tif 000010
【図９】
2014119420.tif 000011
【図１０】
2014119420.tif 000012